(57)【要約】      （修正有）【課題】ワイヤ式展示物吊下げ具を用いて展示物吊下げた際に、展示物の下側に余ったワイヤを体裁よくまとめることのできるワイヤ式展示物吊下げ具用ワイヤホルダを提供する。【解決手段】ワイヤホルダ１は、ヒンジ１ｃにて開閉自在に連結される板状体１ａと、余ったワイヤＹａに組み付けするために、一方の板状体１ａの外側面に前記ヒンジ１ｃと交差方向の両端面に亘って凹設されるワイヤ組付け溝２，３と、前記余ったワイヤＹａを挿通保持するために、板状体１ａの内側面それぞれにワイヤ組付け溝２，３と同方向へ凹溝が貫通形成され、両板状体１ａを閉じ合わせた際には凹溝を突き合わせて構成されるワイヤ挿通孔とを備えている。【選択図】図１
0003142612.tif 000002
【実用新案登録請求の範囲】
【請求項１】
ワイヤ式展示物吊下げ具の吊下げ用フックを上下方向へ移動可能に支持するワイヤに組み付けされ、前記吊下げ用フックを用いて展示物を所定高さに吊持した際に、該吊下げ用フックの下側に余ったワイヤをリング状に束ねて保持するワイヤ式展示物吊下げ具用ワイヤホルダであって、
該ワイヤホルダは、ヒンジにて開閉自在に連結される一対の板状体と、
前記余ったワイヤへ組み付けするために、一方の板状体の外側面に前記ヒンジと交差方向の両端面に亘って凹設されるワイヤ組付け溝と、
前記余ったワイヤを挿通保持するために、前記一対の板状体の内側面それぞれに前記ワイヤ組付け溝と同方向へ凹溝が貫通形成され、両板状体を閉じ合わせた際に前記両凹溝を突き合わせて構成されるワイヤ挿通孔とを備えている
ことを特徴とするワイヤ式展示物吊下げ具用ワイヤホルダ。
【請求項２】
前記ワイヤ組付け溝の内径が前記ワイヤの直径と同径またはやや小径に形成され、且つ該ワイヤ組付け溝の板状体外側面側の開口が該ワイヤ組付け溝の内径よりも幅狭に絞られている
ことを特徴とする請求項１に記載のワイヤ式展示物吊下げ具用ワイヤホルダ。
【請求項３】
前記凹溝のいずれか一方または双方に、前記両板状体を閉じ合わせて両凹溝がワイヤ挿通孔を構成した際に、該ワイヤ挿通孔に挿通された前記ワイヤをより確実に保持するためのワイヤ押圧手段を設けた
ことを特徴とする請求項１または２に記載のワイヤ式展示物吊下げ具用ワイヤホルダ。
【考案の詳細な説明】
【技術分野】
【０００１】
本考案は、天井やカーテンレール等の上部から垂下したワイヤに展示物吊下げ用のフックを上下動可能に配置したワイヤ式展示物吊下げ具と組み合わせして用いられ、該ワイヤ式展示物吊下具のフックを用いて絵画やパネル，花卉等の展示物を所定の高さに吊持した際に、フックの下側に余ったワイヤを体裁よくまとめて保持するワイヤ式展示物吊下げ具用ワイヤホルダに関する。
【背景技術】
【０００２】
絵画や写真パネル等の展示物を定期的に交換するミュージアムや各種の展示場，催場では、ワイヤ式の展示物吊下げ具が使用されている。このワイヤ式展示物吊下げ具は、上方から垂下したワイヤの中間部に展示物吊下げ用のフックを装着し、ワイヤの上下端にアイレットとストッパとを固着して構成されており、ワイヤ式であることから展示物を所望高さに吊下げるのに展示物の視覚的な邪魔とならず且つ高荷重にもよく堪え、さらに上下動するフックにより展示物の高さ調整が簡便に行えるといった利便性がある。
【０００３】
また、このようなワイヤ式展示物吊下げ具にピクチャーレールを組み合わせ、天井や壁面上部に横架したピクチャーレールにワイヤ上端のアイレットを係着して、展示物吊下げ具をピクチャーレールから垂設することにより、展示物を上下方向ばかりでなく横方向へも簡単に移動できるようにしている（例えば、特許文献１，特許文献２，特許文献３参照）。
【特許文献１】実開平６−８４９６５号公報
【特許文献２】特開平７−１７１６０号公報
【特許文献３】特開２００８−３６０００号公報
【考案の開示】
【考案が解決しようとする課題】
【０００４】
前述したように、上記特許文献１〜３のワイヤ式展示物吊下げ具は、ワイヤの上下端にアイレットとストッパとを固着していることから、ワイヤが所定長さに決められており、このため絵画等の展示物を鑑賞に適した所定高に吊持すると、フックの下側に余ったワイヤが展示物の後ろ側に垂れ下がることがある。
この対策として、垂れ下がった余分なワイヤをリング状に巻取ってテープや輪ゴムで止めて、展示物の後ろ側に隠す等しているが、展示物の鑑賞者が展示物の後ろ側を覗いた場合にはワイヤの巻取り部分が丸見えとなって甚だ体裁の悪いものであり、あるいはワイヤの巻取り部分が自身の復元力によって直線状に戻ってしまう虞もぬぐいきれない。
【０００５】
本考案は、かかる実情を背景にしてなされたもので、その目的とするところは、ワイヤ式展示物吊下げ具を用いて展示物吊下げた際に、展示物の下側に余ったワイヤを体裁よくまとめることのできるワイヤ式展示物吊下げ具用ワイヤホルダを提供することにある。
【課題を解決するための手段】
【０００６】
上述の目的を達成するため、本考案のワイヤ式展示物吊下げ具用ワイヤホルダは、ワイヤ式展示物吊下げ具の吊下げ用フックを上下方向へ移動可能に支持するワイヤに組み付けされ、前記吊下げ用フックを用いて展示物を所定高さに吊持した際に、該吊下げ用フックの下側に余ったワイヤをリング状に束ねて保持するワイヤホルダであって、該ワイヤホルダは、ヒンジにて開閉自在に連結される一対の板状体と、前記余ったワイヤへ組み付けするために、一方の板状体の外側面に前記ヒンジと交差方向の両端面に亘って凹設されるワイヤ組付け溝と、前記余ったワイヤを挿通保持するために、前記一対の板状体の内側面それぞれに前記ワイヤ組付け溝と同方向へ凹溝が貫通形成され、両板状体を閉じ合わせた際には前記凹溝同士が突き合わせて構成されるワイヤ挿通孔とを備えていることを特徴としている。
ワイヤ式展示物吊下げ具に用いられるワイヤの径は数種類程度あり、一方の板状体外側面のワイヤ組付け溝は、このワイヤ径に合わせて数種類の太さのものを設けてもよい。
【０００７】
また、本考案のワイヤ式展示物吊下げ具用ワイヤホルダにおいて、ワイヤ組付け溝を前記ワイヤの直径と同径またはやや小径に形成し、且つ該ワイヤ組付け溝の板状体外側面側の開口を前記ワイヤの直径よりも幅狭に絞った構成としてもよい。
さらに、前記凹溝のいずれか一方または双方に、前記両板状体を閉じ合わせて両凹溝が前記ワイヤ挿通孔を構成した際に、該ワイヤ挿通孔に挿通された前記ワイヤをより確実に保持するためのワイヤ押圧手段を設けることもできる。ワイヤ押圧手段は、突起やエンボスのほか梨地等の粗面加工であってもよい。
【０００８】
本考案のワイヤホルダを使用するには、吊下げ用フックを用いて展示物を好ましい所定の高さに吊り下げて、吊下げ用フックの下側にワイヤが余った場合に、余ったワイヤの上部をワイヤホルダのワイヤ組付け溝に挿通することにより、ワイヤホルダを余ったワイヤの上部に取付ける。そして、ワイヤホルダの下側に余ったワイヤをリング状に束ね、束ねたワイヤの一部を開いた両板状体内部の凹溝に収容して両板状体を閉じ合わせ、とじ合わせにより両板状体間に形成されるワイヤ挿通孔にワイヤを挟んで保持する。
【考案の効果】
【０００９】
本考案のワイヤホルダによれば、ワイヤ式展示物吊下げ具を用いて展示物吊下げた際に、展示物の下側に余ったワイヤを体裁よくまとめることができる。また、ワイヤへの組付けは、一方の板状体の外側面に設けたワイヤ組付け溝を用いて行うので、ワイヤへの着脱が簡便であり、ワイヤホルダが不要な場合にはワイヤから簡単に取り外すことができる。さらに構造がシンプルであるから壊れにくく、しかも安価に製作することができる。
また、ワイヤ組付け溝をワイヤの直径と同径またはやや小径に形成し、且つワイヤ組付け溝の板状体外側面側の開口をワイヤの直径よりも幅狭に絞った構成とすることにより、ワイヤ組付け溝を用いてワイヤホルダをワイヤの所望の位置に取り付けした際に、ワイヤホルダがワイヤから外れたり下にずれたりすることなくワイヤホルダの取り付け位置をよく保つことができる。
さらに、凹溝の内面にワイヤ押圧手段を設けることにより、ワイヤ挿通孔に収容したワイヤをより確実に保持する。
【考案を実施するための最良の形態】
【００１０】
以下、本考案にかかるワイヤ式展示物吊下げ具用ワイヤホルダの一実施例を図面に基づいて説明する。
図中、図１はワイヤホルダの使用状態を示す正面図、図２はワイヤホルダを開いた状態を外側から見た斜視図、図３は同じくワイヤホルダを開いた状態を内側から見た斜視図、図４は図１のＩＶ−ＩＶ断面図、図５は図４の拡大図、図６は図１のＶ−Ｖ断面図、図７はワイヤホルダの使用状態を示すもので、展示物である絵画を後ろ側から見た図である。
【００１１】
図１，図４〜図６に示すように、ワイヤホルダ１は、一対のワイヤ式展示物吊下げ具１０，１０のワイヤＹ，Ｙのそれぞれと組み付けされ、各ワイヤ式展示物吊下げ具１０の吊下げ用フック１１を用いて本考案の展示物である絵画Ｐを所定高さに吊持した際に、吊下げ用フック１１の下側に余ったワイヤＹａをリング状に束ねて保持するためのものであって、各ワイヤ式展示物吊下げ具１０は、上下端にアイレット１２とストッパ１３とを固着したワイヤＹの中間部に展示物吊下げ用のフック１１を装着して構成されている。
図７に示すように、フック１１は、ワイヤ挿通部１１ａに常時作動型のブレーキ（図示せず）を内蔵しており、このブレーキを解除操作することによってフック１１をワイヤＹの任意の位置に移動させることを可能とし、またブレーキの解除操作を解除することによりブレーキが作動して、フック１１がワイヤＹの任意の位置に固定される。
【００１２】
図１〜図３に示すように、上記ワイヤ式展示物吊下げ具１０と組み合わせされるワイヤホルダ１は、一対の板状体１ａ，１ｂと、該板状体１ａ，１ｂの一側部でこれらを開閉自在に連結するヒンジ１ｃと、該ヒンジ１ｃとは反対側で板状体１ａ，１ｂの閉状態を維持するロック片１ｄ及び係止環１ｅとからなっている。
板状体１ａ，１ｂのそれぞれは、例えば長さ２２ｍｍ，幅８．５ｍｍ，厚さ３ｍｍ程度の長方体でなり、これら板状体１ａ，１ｂに上述のヒンジ１ｃ及びロック編１ｄと係止環１ｅを含むワイヤホルダ１の全体を合成樹脂によって一体成形したもので、一方の板状体１ａの外側面には、大小一対のワイヤ組付け溝２，３が前記ヒンジ１ｃと交差する長さ方向両端面に亘って貫通形成されるとともに、板状体１ａ，１ｂの内側面にはワイヤ組付け溝２，３と同じく板状体１ａ，１ｂの長手方向に貫通する凹溝４，５が相対向して設けられている。
【００１３】
ワイヤ組付け溝２，３は、ワイヤ式展示物吊下げ具１０に使用されるワイヤＹの直径に合わせていずれかを選択してこれにを挿通することにより、該ワイヤＹにワイヤガイド１を取り付けするためのもので、ワイヤＹの直径にあわせて、例えば１．５ｍｍと１．２ｍｍと同径乃至はやや小径に形成されている。さらに、これらのワイヤ組付け溝２，３は、ロック片１ｄ及び係止環１ｅ側に変位しており、凹溝４，５で構成される後述のワイヤ挿通孔６で余ったワイヤＹａをリング状に束ねて保持した場合に、ワイヤホルダ１とリング状に束ねたワイヤＹａとが左右に少ないスペースでバランスよく配置できるようにしている。
ワイヤ組付け溝２，３の外側には、一方の板状体１ａの外側面へ向けてハの字状に開口するワイヤ導入口２ａ，３ａが連設されており、ワイヤ式展示物吊下げ具１０のワイヤＹは、ワイヤ導入口２ａ，３ａのいずれかを通してワイヤ組付け溝２またはワイヤ組付け溝３に導入される。
【００１４】
ワイヤ導入口２ａ，３ａに連なるワイヤ組付け溝２，３の板状体外側面側の開口Ｗ１，Ｗ２は、ワイヤ組付け溝２，３のそれぞれの内径よりも幅狭に絞られており、ワイヤ式展示物吊下げ具１０のワイヤＹがワイヤ導入口２ａ，３ａのいずれかを通してワイヤ組付け溝２，３のいずれかに導入された場合に開口Ｗ１，Ｗ２が抜け止めし、ワイヤＹがワイヤ組付け溝２，３から妄りに抜け出ることがないようにしている。
【００１５】
板状体１ａ，１ｂの内側面に相対向する凹溝４，５は、長手方向両端面近傍とほぼ中間部との３箇所で浅く、且つこれら３箇所の間で深さを増した段状に形成されており、また外側面にワイヤ組付け溝２，３が凹設される一方の板状体１ａでは、凹溝４とワイヤ組付け溝２，３とが内外に一部連通しているが、ワイヤ組付け溝２，３を持たない他方の板状体１ｂでは、このような連通はない。
【００１６】
上記凹溝４，５は、図４〜図６に示すように板状体１ａ，１ｂを閉じ合わせした際に、互いに向き合ってワイヤ挿通孔６を構成する。また、他方の板状体１ｂの凹溝５には、長手方向両端面近傍とほぼ中間部との３箇所の浅い部分に、断面二等辺三角形のワイヤ押圧手段７が突設されており、板状体１ａ，１ｂを閉じ合わせして凹溝４，５がワイヤ挿通孔６を構成した際に、一方の板状体１ａの凹溝４方向へ突出する。
【００１７】
本実施例のワイヤホルダ１は以上のように構成されており、図７に示すように、展示物である絵画Ｐの吊下げは、ワイヤ式展示物吊下げ具１０，１０の吊下げ用フック１１，１１を該絵画Ｐの裏側に設けた吊下げ環１４，１４に係止して絵画Ｐを所定高さに吊持し、吊下げ用フック１１，１１の下側に余ったそれぞれのワイヤＹａの上部にワイヤホルダ１を取り付ける。
ワイヤホルダ１の取り付けは、ワイヤＹの直径が例えば１．２ｍｍの場合に小径側のワイヤ組付け溝３が用いられ、該ワイヤ組付け溝３にワイヤ導入口３ａより開口Ｗ２を乗り越えて嵌め込むことにより行われる。前述したように、ワイヤ組付け溝３は、ワイヤＹの直径１．２ｍｍと同径ないしはやや小径に形成されているため、ワイヤホルダ１がワイヤＹの所望の取り付け位置（高さ）から下方へ落下するようなことはなく、またワイヤ導入口３ａ側にはワイヤ組付け溝３よりも幅狭な開口Ｗ２が位置するため、ワイヤホルダ１がワイヤＹから妄りに抜け出る虞もない。
【００１８】
つぎに、ロック片１ｄと係止環１ｅとの係合を解除して双方の板状体１ａ，１ｂを開き、ワイヤホルダ１の下側に余ったワイヤＹａをリング状に束ねて、その一部を凹溝４，５のいずれかに嵌め込んだのち板状体１ａ，１ｂを閉じ合わせ、図１及び図４〜図７に示すごとく、ロック片１ｄと係止環１ｅとを再度係合する。
リング状に束ねたワイヤＹａは、板状体１ａ，１ｂの閉じ合わせによって構成されるワイヤ挿通孔６に保持され、さらに本実施例では凹溝５側に突設したワイヤ押圧手段７がワイヤＹａを凹溝４側に強く押圧して、該ワイヤＹａを確実に保持する。
【図面の簡単な説明】
【００１９】
【図１】本考案の一実施例を示すワイヤホルダの使用状態を示す正面図である。
【図２】本考案の一実施例を示すワイヤホルダを開いた状態を外側から見た斜視図である。
【図３】本考案の一実施例を示すワイヤホルダを開いた状態を内側から見た斜視図である。
【図４】本考案の一実施例を示す図１のＩＶ−ＩＶ断面図である。
【図５】本考案の一実施例を示す図４の拡大図である。
【図６】本考案の一実施例を示す図１のＶＩ−ＶＩ断面図である。
【図７】本考案の一実施例を示すワイヤホルダの使用状態を示すもので、展示物である絵画を後ろ側から見た図である。
【符号の説明】
【００２０】
１…ワイヤホルダ
１０…ワイヤ式展示物吊下げ具
１１…吊下げ用フック
１ａ…板状体
１ｃ…ヒンジ
１ｄ…ロック片
１ｅ…係止環
２，３…ワイヤ組付け溝
４，５…凹溝
６…凹溝４，５で構成されるワイヤ挿通孔
７…押圧手段
Ｙ…ワイヤ
Ｙａ…ワイヤホルダ１に保持される吊下げ用フック１１より下側のワイヤ
Ｗ１，Ｗ２…開口
【図１】
0003142612.tif 000003
【図２】
0003142612.tif 000004
【図３】
0003142612.tif 000005
【図４】
0003142612.tif 000006
【図５】
0003142612.tif 000007
【図６】
0003142612.tif 000008
【図７】
0003142612.tif 000009